(57)【特許請求の範囲】
【請求項１】
幅方向に延びた長孔を有する板状の端子基部と、前記端子基部から幅方向と交差する方向に突出して電線に接続される電線接続部とを備えた複数の端子によって構成され、
各端子基部が厚み方向に重ねられつつ幅方向に位置ずれして組み合わされ、その組み合わせ状態では、各電線接続部が同じ側を向いて幅方向に並んで配置され、かつ各長孔が厚み方向に連通してボルトを挿通可能なボルト通し孔を形成しており、
前記各電線接続部は前記各端子基部の幅方向の一側から突出して形成され、各端子は前記各電線接続部を幅方向の一側に寄せて組み合わされていることを特徴とする組合せ端子。
【請求項２】
厚み方向に重ねられつつ幅方向に位置ずれして組み合わされた各端子基部に対し、これら端子基部の全幅内に収まる態様で厚み方向に重ねられるとともに、前記ボルト通し孔と連通可能な第２の長孔を有する板状の第２の端子基部と、前記第２の端子基部から幅方向と交差する方向に突出して電線に接続されるとともに、前記同じ側を向いて幅方向に並んで配置された各電線接続部に対し、これら電線接続部の全幅内に収まる態様で同じ側を向いて配置される第２の電線接続部とを備えた第２の端子を含み、
前記第２の電線接続部は、厚み方向で隣接する前記電線接続部との干渉を回避するべくクランク状に屈曲する形態である請求項１記載の組合せ端子。
【請求項３】
前記第２の端子が複数用意され、前記第２の長孔は幅方向に延びた形状をなし、各第２の端子基部が厚み方向に重ねられつつ幅方向に位置ずれして組み合わされ、その組み合わせ状態では、各第２の電線接続部が同じ側を向いて幅方向に並んで配置され、かつ各第２の長孔が厚み方向に連通する請求項２記載の組合せ端子。
【請求項４】
前記各第２の電線接続部は前記各第２の端子基部の幅方向の一側から突出して形成され、各端子及び各第２の端子は前記各電線接続部及び前記各第２の電線接続部を幅方向の一側に寄せて組み合わされており、
前記第２の端子基部に厚み方向に重ねられるとともに、前記第２の長孔と連通可能な第３の長孔を有する板状の第３の端子基部と、前記第３の端子基部から幅方向に交差する方向に突出して電線に接続されるとともに、前記同じ側を向いて幅方向の一側に配置された前記各電線接続部及び前記各第２の電線接続部に対し、これら電線接続部とは反対側である幅方向の他側に同じ側を向いて配置される第３の電線接続部とを備えた第３の端子を含むことを特徴とする請求項３記載の組合せ端子。
【請求項５】
前記第３の端子が複数用意され、前記第３の長孔は幅方向に延びた形状をなし、各第３の端子基部が厚み方向に重ねられつつ幅方向に位置ずれして組み合わされ、その組み合わせ状態では、各第３の電線接続部が同じ側を向いて幅方向に並んで配置され、かつ各第３の長孔が厚み方向に連通する請求項４記載の組合せ端子。
【請求項６】
前記厚み方向に重ねられつつ幅方向に位置ずれして組み合わされた各第３の端子基部に対し、これら第３の端子基部の全幅内に収まる態様で厚み方向に重ねられるとともに、前記第３の長孔と連通可能な第４の長孔を有する板状の第４の端子基部と、前記第４の端子基部から幅方向と交差する方向に突出して電線に接続されるとともに、前記同じ側を向いて幅方向に並んで配置された前記各第３の電線接続部に対し、これら電線接続部の全幅内に収まる態様で同じ側を向いて配置される第４の電線接続部とを備えた第４の端子を含み、
前記第４の電線接続部は、厚み方向で隣接する前記第３の電線接続部との干渉を回避するべくクランク状に屈曲する形態である請求項５記載の組合せ端子。
【請求項７】
第４の端子が複数用意され、前記第４の長孔は幅方向に延びた形状をなし、各第４の端子基部が厚み方向に重ねられつつ幅方向に位置ずれして組み合わされ、その組み合わせ状態では、各第４の電線接続部が同じ側を向いて幅方向に並んで配置され、かつ各第４の長孔が厚み方向に連通する請求項６記載の組合せ端子。
【請求項８】
前記端子基部、前記第２の端子基部、前記第３の端子基部及び前記第４の端子基部は、それぞれ対応する相手側とその板面に沿ってスライド装着され、そのスライド装着動作を案内する案内手段を有しており、前記端子基部と前記第２の端子基部との間に形成された案内手段と、前記第３の端子基部と前記第４の端子基部との間に形成された案内手段とが、これら端子基部のスライド方向と直交する方向に並んで配置されている請求項７記載の組合せ端子。
【発明の詳細な説明】
【技術分野】
【０００１】
本発明は、複数の端子を組み合わせて構成される組合せ端子に関するものである。
【背景技術】
【０００２】
例えば、アース用の端子は、ボルトを通すボルト孔を有する板状の端子基部とその端子基部から突出して電線に接続される電線接続部とを備えた端子によって構成されている。このうち、特許文献１に記載のものは、中心にボルト孔を有する平面視略円形の端子基部と、端子基部から径方向外向きに突出する電線接続部とで構成されている。そして、複数の端子基部が厚み方向に重ねられ、その中心にボルト孔が連通して整合する設定とされている。この場合、各電線接続部は互いの干渉を回避するべく円弧に並んで配置され、各電線接続部から延びた複数の電線が放射状に広がるようになっている。
【０００３】
また、特許文献２に記載のものは、略方形のボルト孔を有する平面視略矩形の端子基部と、端子基部の幅方向の一側から突出する電線接続部とで構成されている。そして、一対の端子基部がそれぞれ電線接続部を幅方向の両側に配しつつ互いに略対称に向き合った状態からスライド装着されることにより、両端子基部が互いに厚み方向に重ねられかつボルト孔同士が整合して組み合わされる。さらに、ボルト孔を高さ方向に整合させながら複数対の端子基部を積み重ねることも可能とされている。
【特許文献１】特開２００６−４０７５９公報（第１図）
【特許文献２】特開２００１−１４３８０４公報（第１２図）
【発明の開示】
【発明が解決しようとする課題】
【０００４】
特許文献１に記載のものでは、各電線接続部が円弧に並んで配置され、複数の電線が放射状に広がるため、周方向のスペースを大きくとってしまうという事情がある。
【０００５】
また、特許文献２に記載のものでは、各電線接続部が高さ方向（端子基部の厚み方向）に並んで配置されるため、高さ方向の大型化を避け得ないという事情がある（図１３（Ａ）を参照）。
【０００６】
本発明は上記のような事情に基づいて完成されたものであって、コンパクトにまとまった組合せ端子を提供することを目的とする。
【課題を解決するための手段】
【０００７】
上記の目的を達成するための手段として、請求項１の発明は、幅方向に延びた長孔を有する板状の端子基部と、前記端子基部から幅方向と交差する方向に突出して電線に接続される電線接続部とを備えた複数の端子によって構成され、各端子基部が厚み方向に重ねられつつ幅方向に位置ずれして組み合わされ、その組み合わせ状態では、各電線接続部が同じ側を向いて幅方向に並んで配置され、かつ各長孔が厚み方向に連通してボルトを挿通可能なボルト通し孔を形成しており、前記各電線接続部は前記各端子基部の幅方向の一側から突出して形成され、各端子は前記各電線接続部を幅方向の一側に寄せて組み合わされている構成としたところに特徴を有する。
【０００９】
請求項２の発明は、請求項１に記載のものにおいて、厚み方向に重ねられつつ幅方向に位置ずれして組み合わされた各端子基部に対し、これら端子基部の全幅内に収まる態様で厚み方向に重ねられるとともに、前記ボルト通し孔と連通可能な第２の長孔を有する板状の第２の端子基部と、前記第２の端子基部から幅方向と交差する方向に突出して電線に接続されるとともに、前記同じ側を向いて幅方向に並んで配置された各電線接続部に対し、これら電線接続部の全幅内に収まる態様で同じ側を向いて配置される第２の電線接続部とを備えた第２の端子を含み、前記第２の電線接続部は、厚み方向で隣接する前記電線接続部との干渉を回避するべくクランク状に屈曲する形態であるところに特徴を有する。
【００１０】
請求項３の発明は、請求項２に記載のものにおいて、前記第２の端子が複数用意され、前記第２の長孔は幅方向に延びた形状をなし、各第２の端子基部が厚み方向に重ねられつつ幅方向に位置ずれして組み合わされ、その組み合わせ状態では、各第２の電線接続部が同じ側を向いて幅方向に並んで配置され、かつ各第２の長孔が厚み方向に連通するところに特徴を有する。
【００１１】
請求項４の発明は、請求項３に記載のものにおいて、前記各第２の電線接続部は前記各第２の端子基部の幅方向の一側から突出して形成され、各端子及び各第２の端子は前記各電線接続部及び前記各第２の電線接続部を幅方向の一側に寄せて組み合わされており、前記第２の端子基部に厚み方向に重ねられるとともに、前記第２の長孔と連通可能な第３の長孔を有する板状の第３の端子基部と、前記第３の端子基部から幅方向に交差する方向に突出して電線に接続されるとともに、前記同じ側を向いて幅方向の一側に配置された前記各電線接続部及び前記各第２の電線接続部に対し、これら電線接続部とは反対側である幅方向の他側に同じ側を向いて配置される第３の電線接続部とを備えた第３の端子を含むところに特徴を有する。
【００１２】
請求項５の発明は、請求項４に記載のものにおいて、前記第３の端子が複数用意され、前記第３の長孔は幅方向に延びた形状をなし、各第３の端子基部が厚み方向に重ねられつつ幅方向に位置ずれして組み合わされ、その組み合わせ状態では、各第３の電線接続部が同じ側を向いて幅方向に並んで配置され、かつ各第３の長孔が厚み方向に連通するところに特徴を有する。
【００１３】
請求項６の発明は、請求項５に記載のものにおいて、前記厚み方向に重ねられつつ幅方向に位置ずれして組み合わされた各第３の端子基部に対し、これら第３の端子基部の全幅内に収まる態様で厚み方向に重ねられるとともに、前記第３の長孔と連通可能な第４の長孔を有する板状の第４の端子基部と、前記第４の端子基部から幅方向と交差する方向に突出して電線に接続されるとともに、前記同じ側を向いて幅方向に並んで配置された前記各第３の電線接続部に対し、これら電線接続部の全幅内に収まる態様で同じ側を向いて配置される第４の電線接続部とを備えた第４の端子を含み、前記第４の電線接続部は、厚み方向で隣接する前記第３の電線接続部との干渉を回避するべくクランク状に屈曲する形態であるところに特徴を有する。
【００１４】
請求項７の発明は、請求項６に記載のものにおいて、第４の端子が複数用意され、前記第４の長孔は幅方向に延びた形状をなし、各第４の端子基部が厚み方向に重ねられつつ幅方向に位置ずれして組み合わされ、その組み合わせ状態では、各第４の電線接続部が同じ側を向いて幅方向に並んで配置され、かつ各第４の長孔が厚み方向に連通するところに特徴を有する。
【００１５】
請求項８の発明は、請求項７に記載のものにおいて、前記端子基部、前記第２の端子基部、前記第３の端子基部及び前記第４の端子基部は、それぞれ対応する相手側とその板面に沿ってスライド装着され、そのスライド装着動作を案内する案内手段を有しており、前記端子基部と前記第２の端子基部との間に形成された案内手段と、前記第３の端子基部と前記第４の端子基部との間に形成された案内手段とが、これら端子基部のスライド方向と直交する方向に並んで配置されているところに特徴を有する。
【発明の効果】
【００１６】
＜請求項１の発明＞
各端子基部が厚み方向に重ねられつつ幅方向に位置ずれして組み合わされ、その組み合わせ状態では、各電線接続部が同じ側を向いて幅方向に並んで配置されているから、厚み方向に嵩高くなることがなく、さらに周方向に広がってスペースをとることもない。その結果、組合せ端子がコンパクトにまとまる。また、各端子基部が幅方向に位置ずれして組み合わされるという事情があっても、各長孔が幅方向に延びた形状をとっているため、各長孔が連通してボルトを挿通可能なボルト通し孔を形成することが可能となる。
【００１７】
また、各端子が各電線接続部を幅方向の一側に寄せて組み合わされているから、幅方向の他側のスペースを有効に活用できる。
【００１８】
＜請求項２の発明＞
組み合わされた複数の端子にさらに第２の端子が組み付けられる。また、第２の電線接続部が各電線接続部の全幅内に収まる態様で同じ側を向いて配置されるため、厚み方向で両電線接続部が干渉する懸念があるが、第２の電線接続部がクランク状に屈曲する形態であるため、両電線接続部の干渉が回避される。
【００１９】
＜請求項３の発明＞
さらに第２の端子がスペース効率良く複数組み付けられる。
【００２０】
＜請求項４の発明＞
幅方向の他側に第３の端子が組み付けられ、スペースが有効に活用される。
【００２１】
＜請求項５の発明＞
さらに第３の端子もスペース効率良く複数組み付けられる。
【００２２】
＜請求項６の発明＞
組み合わされた複数の第３の端子にさらに第４の端子が組み付けられる。また、第４の電線接続部が各第３の電線接続部の全幅内に収まる態様で同じ側を向いて配置されるため、厚み方向で両電線接続部が干渉する懸念があるが、第４の電線接続部がクランク状に屈曲する形態であるため、両電線接続部の干渉が回避される。
【００２３】
＜請求項７の発明＞
さらに第４の端子もスペース効率良く複数組み付けられる。
【００２４】
＜請求項８の発明＞
端子基部と第２の端子基部との間に形成された案内手段と、第３の端子基部と第４の端子基部との間に形成された案内手段とが、スライド方向と直交する方向に並んで配置されているから、両案内手段がスライド方向に並んで配置されるよりも、スライド方向に両案内手段の形成領域を長く確保することができ、案内機能の信頼性を高めることができる。
【発明を実施するための最良の形態】
【００２５】
＜実施形態１＞
本発明の実施形態１を図１ないし図１３によって説明する。本実施形態の組合せ端子は、アース用の端子金具を例示するものであり、端子１０、第２の端子２００、第３の端子３００、第４の端子４００、ボルト９０によって構成され、全ての端子１０、２００、３００、４００は導電性の金属板を加工して成形され、ボルト９０は周知のボルトである。なお、以下の説明において、幅方向一側は図示向かって右側を、幅方向他側は図示向かって左側をいうものとし、上下方向については各図を基準とする。
【００２６】
〔端子の構造及びその作用〕
端子１０は、幅方向に延びた長円形の長孔１１を有する板状の端子基部１２と、電線８０の端末部に接続されるオープンバレル状の電線接続部１３とからなる。
【００２７】
図１に示すように、端子基部１２は平面視略矩形の一枚板状をなし、上下両辺が長辺、左右両辺が短辺とされている。長孔１１は端子基部１２の略中央に大きく開口して形成されている。端子基部１２には、長孔１１上方の幅方向一側に、係止部１４が切り起こしにより形成されているとともに、長孔１１上方の幅方向中央よりやや他側に、係止受け部１５が開口して形成されている。係止部１４、係止受け部１５は、幅方向の同一軸上に並んで位置していずれも平面視略方形をなし、相互に補完し合う形状をなしている。
【００２８】
また、端子基部１２には、レール状の案内部１６が上下両辺に沿って対をなして形成されている。案内部１６は、図３に示すように、断面角Ｕの字形をなし、その内側に端子基部１２を厚み方向に挟みつつ端子基部１２と摺接可能とされている。
【００２９】
電線接続部１３は、端子基部１２の板面に沿った底板１７を有し、端子基部１２の下辺における幅方向一側の端部から下向き（短辺方向）に突出して形成されている。底板１７の下部には、電線８０の端末部の被覆８１にかしめ付けられるインシュレーションバレル１８が形成され、底板１７の上部には、電線８０の端末部の被覆８１を除去して露出する芯線８２にかしめ付けられるワイヤバレル１９が形成されている。底板１７の幅方向略中央部には、上下方向（高さ方向）に沿ってスリット２１が入っており、ワイヤバレル１９、インシュレーションバレル１８のかしめ動作が円滑になされるようにしてある。
【００３０】
ここで、端子１０は２枚用意されている。両端子１０は、互いの端子基部１２を幅方向にずらしつつ厚み方向に重ねて組み合わされる。具体的には、図２に示すように、他方の端子１０（図２に示す向かって右側の端子１０）の端子基部１２に対して一方の端子１０（図２に示す向かって左側の端子）の端子基部１２を幅方向にずらした状態から、両端子基部１２の互いの板面を摺接させつつ一方の端子１０を幅方向他側にスライドさせる。スライド過程では、他方の端子１０の案内部１６に一方の端子基部１２の上下両辺が嵌合案内され、スライド動作が完了して正規の組み付け状態に至ると、図３に示すように、他方の端子１０の係止部１４が一方の端子１０の係止受け部１５に弾性的に嵌り込み、両端子１０が離脱規制状態に保持される。このとき、両端子基部１２の案内部１６の端縁同士がスライド方向で互いに突き当たる。また、正規の組み付け状態では、他方の長孔１１の幅方向一側と一方の長孔１１の幅方向他側とが整合し、ボルト９０の軸部形状に対応した円形のボルト通し孔２２を形成するとともに、両電線接続部１３が同じ側（下方）を向いて幅方向に略平行に並んで配置される。
【００３１】
〔第２の端子の構造及びその作用〕
第２の端子２００は、幅方向に延びた長円形の第２の長孔２０１を有する板状の第２の端子基部２０２と、電線８０の端末部に接続されるオープンバレル状の第２の電線接続部２０４とからなる。
【００３２】
図４に示すように、第２の端子基部２０２は平面視略矩形の一枚板状をなし、上下両辺が長辺、左右両辺が短辺とされ、端子基部１２より幅方向に長くなっている。第２の長孔２０１は第２の端子基部２０２の幅方向中央よりやや他側に寄った位置に大きく開口して形成されている。第２の端子基部２０２には、第２の長孔２０１上方の幅方向一側に、第２の係止部２０３が切り起こしにより形成されているとともに、第２の長孔２０１上方の幅方向中央よりやや他側に、他側第２の係止受け部２０５が開口して形成され、かつ、第２の長孔２０１上方から外れた第２の端子基部２０２の幅方向一側の端部に、一側第２の係止受け部２０６が切り起こしにより形成されている。第２の係止部２０３、他側第２の係止受け部２０５、一側第２の係止受け部２０６は、幅方向の同一軸上に並んで位置していずれも平面視略方形をなし、相互に補完し合う形状をなしている。
【００３３】
また、第２の端子基部２０２の上辺には、レール状の第２の案内部２０７が形成されている。第２の案内部２０７は、断面角Ｕの字形をなしている。
第２の端子基部２０２の上下両辺のうち幅方向他側の領域には、一側の領域との間に段差を介して切り欠かれた第２の逃し凹部２０８が形成されている。
【００３４】
また、第２の端子基部２０２には、第２の長孔２０１下方の幅方向一側に、幅方向に延びた第２の係合溝２０９が形成され、第２の長孔２０１下方から外れた第２の端子基部２０２の幅方向一側の端部に、第２の係合片２１１が角Ｕの字の切り込みを入れたあと切り込みの内側を幅方向一側へ折り返して形成されている。第２の係合溝２０９、第２の係合片２１１は、幅方向の同軸上に位置していずれも平面視略矩形をなしている。
【００３５】
第２の電線接続部２０４は、底板１７の上部形状が電線接続部１３とは異なる。すなわち、第２の電線接続部２０４の底板１７に上部には、厚み方向に立ち上げられた段部２１２が形成されており、この段部２１２によってワイヤバレル２１９、インシュレーションバレル２１８が第２の端子基部２０２より一段高い位置に配置されるようにしてある。
【００３６】
ここで、第２の端子２００は２枚用意されている。両第２の端子２００は互いの第２の端子基部２０２を幅方向にずらしつつ厚み方向に重ねて組み合わされるとともに、他方の第２の端子２００（図５に示す向かって右側の端子）はその第２の端子基部２０２を一方の端子基部１２に厚み方向に重ねて組み合わされる。具体的には、図５に示すように、一方の端子基部１２に対して他方の第２の端子基部２０２を幅方向にずらした状態から、両端子基部１２、２０２の互いの板面を摺接させつつ他方の第２の端子２００を幅方向他側にスライドさせる。スライド過程では、他方の端子１０の案内部１６が他方の第２の逃し凹部２０８に進入して逃されつつ一方の端子１０の案内部１６に他方の第２の端子基部２０２の上下両辺が嵌合案内され、スライド動作が完了して正規の組み付け状態に至ると、一方の係止部１４が他方の一側第２の係止受け部２０６に弾性的に嵌り込み、両端子１０、２００が離脱規制状態に保持される。このとき、他方の第２の電線接続部２０４は、端子１０の両電線接続部１３の全幅内に位置しているが、段部２１２によって両電線接続部１３（具体的にはインシュレーションバレル１８、ワイヤバレル１９）との干渉を回避可能とされ、両電線接続部１３間の厚み方向上方に配置される。また、他方の第２の長孔２０１の幅方向一側と一方の長孔１１の幅方向他側とが整合してボルト９０の軸部形状に対応したボルト通し孔２２と連通する。
【００３７】
次に、他方の第２の端子基部２０２に対して一方の第２の端子基部２０２を幅方向にずらした状態から、両端子基部２０２の互いの板面を摺接させつつ一方の第２の端子２００を幅方向他側にスライドさせる。スライド過程では、一方の端子１０の案内部１６が一方の第２の逃し凹部２０８に進入して逃されつつ他方の第２の端子２００の第２の案内部２０７に一方の第２の端子基部２０２の上下両辺が嵌合案内される。図６に示すように、スライド動作が完了して正規の組み付け状態に至ると、他方の第２の係止部２０３が一方の他側第２の係止受け部２０５に弾性的に嵌り込むとともに、他方の第２の係合片２１１が一方の第２の係合溝２０９に進入して幅方向一端縁で噛み込み、もって両端子２００が離脱規制状態に保持される。これにより、他方の第２の長孔２０１の幅方向一側と一方の第２の長孔２０１の幅方向他側とが整合し、ボルト９０の軸部形状に対応してボルト通し孔２２と連通するとともに、他方の第２の電線接続部２０４と一方の第２の電線接続部２０４とが両電線接続部１３の上方で幅方向一側に位置ずれしつつ同じ側（下方）を向いて幅方向に略平行に並んで配置される。こうして、端子１０、第２の端子２００が組み付けられた状態では、端子基部１２、第２の端子基部２０２の幅方向他側の下方にスペースがあけられる。
【００３８】
〔第３の端子及びその作用〕
第３の端子３００は、幅方向に延びた長円形の第３の長孔３０１を有する板状の第３の端子基部３０２と、電線８０の端末部に接続されるオープンバレル状の第３の電線接続部３０３とからなる。
【００３９】
図７に示すように、第３の端子基部３０２は平面視略矩形の一枚板状をなし、上下両辺が長辺、左右両辺が短辺とされ、第２の端子基部２０２とほぼ同幅をもって構成されている。第３の長孔３０１は第３の端子基部３０２の幅方向中央よりやや他側に寄った位置に大きく開口して形成されている。第３の端子基部３０２には、第３の長孔３０１上方の幅方向中央よりやや他側に、第３の係止部３０４が切り起こしにより形成されているとともに、第３の長孔３０１上方の幅方向一側に、第３の係止受け部３０５が開口して形成され、かつ、幅方向に関して第３の係止部３０４と第３の係止受け部３０５との間に、幅方向に延びた上側第３の係合溝３０６が形成され、第３の係止部３０４より少し幅方向他側に寄った位置に、上側第３の係合片３０７が角Ｕの字の切り込みを入れたあと切り込みの内側を幅方向一側へ折り返して形成されている。第３の係止部３０４、第３の係止受け部３０５は、幅方向の同一軸上に並んで位置していすれも平面視略方形をなし、相互に補完し合う形状をなしている。また、上側第３の係合片３０７、上側第３の係合溝３０６は幅方向の同一軸上に並んで位置していずれも平面視略矩形をなしている。
【００４０】
第３の端子基部３０２には、第３の長孔３０１下方の幅方向略中央に、幅方向に延びた下側第３の係合溝３０８が形成され、第３の長孔３０１下方の幅方向他側に、下側第３の係合片３０９が角Ｕの字の切り込みを入れたあと切り込みの内側を幅方向一側へ折り返して形成され、かつ、第３の長孔３０１下方の幅方向一側に、第３の端子基部３０２の幅方向一端部にかけて細長く延びた第３の案内受け部３１１が形成されている。下側第３の係合片３０９、下側第３の係合溝３０８、第３の案内受け部３１１は幅方向の同一軸上に並んで位置している。また、第３の端子基部３０２には、幅方向一側の端部の上下方向略中央に、保持爪３１２が角Ｕの字の切り込みを入れたあと切り込みの内側を幅方向一側に折り返して形成されている。保持爪３１２は下側第３の係合片３０９、上側第３の係合片３０７と同様の形状であるが、これらより大きいサイズをもっている。
【００４１】
また、第３の端子基部３０２の上辺には、幅方向一側における突片部３１３を残して切り欠かれた第３の逃し凹部３１４が形成されている。
【００４２】
第３の電線接続部３０３は、第３の端子基部３０２の下辺における幅方向他側の端部から下向き（短辺方向）に突出して形成されている。つまり、第３の電線接続部３０３の形成位置は、電線接続部１３、第２の電線接続部２０４とは幅方向に関して逆側に設置されている。その他、底板３１７、インシュレーションバレル３１８、ワイヤバレル３１９の各形状は電線接続部１３と同様である。
【００４３】
ここで、第３の端子３００は２枚用意されている。両第３の端子３００は互いに第３の端子基部３０２を幅方向にずらしつつ厚み方向に重ねて組み合わされるとともに、一方の第３の端子３００（図７に示す向かって左側）はその第３の端子基部３０２を一方の第２の端子基部２０２に厚み方向に整合状態（幅方向の両端が一致）で重ねて組み合わされる。具合的には、一方の第２の端子基部２０２に対して一方の第３の端子基部３０２を幅方向にずらした状態から、両端子基部２０２、３０２の互いの板面を摺接させつつ一方の第３の端子３００を幅方向他側にスライドさせる。スライド過程では、他方の第２の案内部２０７に一方の第３の端子基部３０２の上辺の突片部３１３が嵌合案内されるとともに、他方の第２の係合片２１１が一方の第３の案内受け部３１１の溝面に嵌合案内される。図７に示すように、スライド動作が完了して正規の組み付け状態に至ると、一方の第２の係止部２０３が一方の第３の係止受け部３０５に弾性的に嵌り込むとともに、一方の第２の係合片２１１が一方の第３の案内受け部３１１に進入して幅方向一端縁で噛み込み、もって両端子２００、３００が離脱規制状態に保持される。このとき、一方の第３の電線接続部３０３は、電線接続部１３、第２の電線接続部２０４と同じ側（下向き）を向いているが、電線接続部１３、第２の電線接続部２０４とは幅方向に関して逆側（幅方向の他側）に配置されて互いの干渉を回避可能とされている。また、一方の第３の長孔３０１の幅方向他側と一方の第２の長孔２０１の幅方向一側とが整合してボルト９０の軸部形状に対応したボルト通し孔２２と連通する。
【００４４】
次に、一方の第３の端子基部３０２に対して他方の第３の端子基部３０２を幅方向にずらした状態から、両端子基部３０２の互いの板面を摺接させつつ他方の第３の端子基部３０２を幅方向他側にスライドさせる。スライド過程では、一方の上側第３の係合片３０７が他方の上側第３の係合溝３０６に進入して案内されるとともに、一方の下側第３の係合片３０９が他方の下側第３の係合溝３０８に進入して案内される。図８に示すように、スライド動作が完了して正規の組み付け状態に至ると、一方の第３の係止部３０４が他方の第３の係止受け部３０５に弾性的に嵌り込むとともに、一方の上側第３の係合片３０７が他方の上側第３の係合溝３０６に幅方向一端縁で噛み込み、かつ一方の下側第３の係合片３０９が他方の下側第３の係合溝３０８に幅方向一端縁で噛み込み、もって両端子３００が離脱規制状態に保持される。これにより、他方の第３の長孔３０１の幅方向一側と一方の第３の長孔３０１の幅方向他側とが整合して、ボルト９０の軸部形状に対応してボルト通し孔２２と連通するとともに、他方の第３の電線接続部３０３と一方の第３の電線接続部３０３とが、電線接続部１３、第２の電線接続部２０４と同じ側を向きつつ幅方向に略平行に並んで配置される。こうして端子基部１２、第２の端子基部２０２の幅方向他側の下方にあいたスペースが第３の電線接続部３０３によって埋められる。
【００４５】
〔第４の端子及びその作用〕
第４の端子４００は、幅方向に延びた長円形の第４の長孔４０１を有する板状の第４の端子基部４０２と、電線８０の端末部に接続されるオープンバレル状の第４の電線接続部４０３とからなる。
【００４６】
図９に示すように、第４の端子基部４０２は平面視略矩形の一枚板状をなし、上下両辺が長辺、左右両辺が短辺とされ、端子基部１２より僅かに狭い幅をもって構成されている。第４の長孔４０１は第４の端子基部４０２の幅方向略中央に大きく開口して形成されている。第４の端子基部４０２には、第４の長孔４０１上方から外れた第４の端子基部４０２の幅方向他側の端部に、上側第４の係止受け部４０４が開口して形成され、第４の長孔４０１下方の幅方向一側に、下側第４の係止受け部４０５が開口して形成され、かつ第４の長孔４０１下方の幅方向中央よりやや他側に、第４の係止部４０６が切り起こしにより形成されている。下側第４の係止受け部４０５、第４の係止部４０６は、幅方向の同一軸上に並んで位置していずれも平面視略方形をなし、相互に補完し合う形状をなしている。
【００４７】
第４の端子基部４０２の上部には、幅方向一側から他側に向けて、上部一側第４の係合溝４０７、上部中間第４の係合溝４０８、上側第４の係合片４０９、上部他側第４の係合溝４１１が幅方向の同一軸上に並んで位置している。上側第４の係止受け部４０４は、上部他側第４の係合溝４１１よりさらに幅方向他側でかつやや下方に位置している。また、第４の端子基部４０２の下部には、幅方向一側から他側に向けて、下部一側第４の係合溝４１２、下側第４の係合片４１３、下部他側第４の係合溝４１４は幅方向の同一軸上に並んで位置している。下側第４の係止受け部４０５は、下部一側第４の係合溝４１２と下側第４の係合片４１３との間でかつこれらのやや下方に位置し、第４の係止部４０６は、下側第４の係合片４１３と下部他側第４の係合溝４１４との間でかつこれらのやや下方に位置している。係合溝４０７、４０８、４１１、４１２、４１４、係合片４０９、４１３の各形状は既述した通りである。そして、第４の端子基部４０２は、案内部１６、第２の案内部２０７との干渉を回避するべく上下寸法が小さく設定されている。
【００４８】
第４の電線接続部４０３は、第４の端子基部４０２の下辺における幅方向他側の端部から下向き（短辺方向）に突出して形成されている。その他、底板４１７、インシュレーションバレル４１８、ワイヤバレル４１９の各形状は第２の電線接続部２０４と同様であり、底板４１７には段部４２２が形成されている。
【００４９】
ここで、第４の端子４００は２枚用意されている。両第４の端子４００は互いの第４の端子基部４０２を幅方向にずらしつつ厚み方向に重ねて組み合わされるとともに、一方の第４の端子４００（図１０に示す向かって左側）はその第４の端子基部４０２を他方の第３の端子基部３０２に厚み方向に重ねて組み合わされる。具体的には、他方の第３の端子基部３０２に対して一方の第４の端子基部４０２を幅方向にずらした状態から、両端子基部３０２、４０２の互いの板面を摺接させつつ一方の第４の端子基部４０２を幅方向他側にスライドさせる。スライド過程では、一方の下側第３の係合片３０９が一方の下部他側第４の係合溝４１４に進入して案内されるとともに、一方の上側第３の係合片３０７が一方の上部他側第４の係合溝４１１に進入して案内される。図１０に示すように、スライド動作が完了して正規の組み付け状態に至ると、他方の第３の係止部３０４が一方の上側第４の係止受け部４０４に弾性的に嵌り込むとともに、他方の上側第３の係合片３０７が一方の第４の端子基部４０２の幅方向他側の端縁に噛み込み、かつ、他方の保持爪３１２が一方の第４の長孔４０１の幅方向一側の端縁に噛み込み、もって両端子３００、４００が離脱規制状態に保持される。このとき、一方の第４の電線接続部４０３は、一方の第３の電線接続部３０３と厚み方向に整合状態（幅方向の両端が一致）で重なる位置関係にあるが、段部４２２によって互いの干渉を回避可能とされている。また、一方の第４の長孔４０１の幅方向他側と他方の第３の長孔３０１の幅方向一側とが整合してボルト９０の軸部形状に対応したボルト通し孔２２と連通する。
【００５０】
次に、一方の第４の端子基部４０２に対して他方の第４の端子基部４０２を幅方向にずらした状態から、両端子基部４０２の互いの板面を摺接させつつ他方の第４の端子基部４０２を幅方向他側にスライドさせる。スライド過程では、他方の上側第３の係合片３０７が他方の上部他側第４の係合溝４１１に進入して案内されるとともに、他方の下側第３の係合片３０９が他方の下部他側第４の係合溝４１４に進入して案内される。図１１に示すように、スライド動作が完了して正規の組み付け状態に至ると、一方の第４の係止部４０６が他方の下側第４の係止受け部４０５に弾性的に嵌り込むとともに、一方の上側第４の係合片４０９が他方の上部一側第４の係合溝４０７に進入して幅方向一端縁で噛み込み、かつ一方の下側第４の係合片４１３が他方の下部一側第４の係合溝４１２に進入して幅方向一端縁で噛み込み、もって両端子４００が離脱規制状態に保持される。これにより、他方の第４の長孔４０１の幅方向一側と一方の第４の長孔４０１の幅方向他側とが整合して、ボルト９０の軸部形状に対向してボルト通し孔２２と連通するとともに、他方の第４の電線接続部４０３が他方の第３の電線接続部３０３と厚み方向に整合状態（幅方向の両端が一致）で重なり、他方の第４の電線接続部４０３と一方の第４の電線接続部４０３とが、同じ側を向きつつ幅方向に略平行に並んで配置される。
【００５１】
こうして端子１０、第２の端子２００、第３の端子３００、第４の端子４００を厚み方向に積み重ねた状態で、各端子１０、２００、３００、４００が共有する円形のボルト通し孔２２にボルト９０を厚み方向に貫通させ、さらにボルト９０の先端部を図示しない接地部材（ボディ）にねじ込んで締め付ける。なお、上記した各長孔１１、２０１、３０１、４０１は全端子１０、２００、３００、４００について同形同大である。また、組み付け状態では、図１２に示すように、各端子基部１２、２０２、３０２、４０２が厚み方向に積み重ねられ、一方の第２の端子基部２０２の幅方向一端と一方の第３の端子基部３０２の幅方向一端とは幅方向に関してほぼ同一位置にあり、他方の端子基部１２の幅方向他端と他方の第２の端子基部２０２の幅方向他端と他方の第３の端子基部３０２の幅方向他端とは幅方向に関してほぼ同じ位置にあり、この両位置によって全体の幅寸法が規定される。
【００５２】
このように本実施形態によれば、８枚の端子１０、２００、３００、４００をスペース効率よく積み重ねることが可能とされる。例えば、図１３（Ａ）に示すように、従来における各端子基部を厚み方向に単に積み重ねるだけでは、従来における各電線接続部１３Ａ、２０４Ａ、３０３Ａ、４０３Ａが厚み方向に直列的に連なって厚み方向の大型化を避け得ない。しかし、本実施形態によれば、図１３（Ｂ）に示すように、各端子基部１２、２０２、３０２、４０２が厚み方向に重ねられつつ幅方向に位置ずれして組み合わされ、その組み合わせ状態では、各電線接続部１３、２０４、３０３、４０３が幅方向に並んで配置されているから、各電線接続部１３、２０４、３０３、４０３の干渉が回避されつつ厚み方向及び周方向のスペースをコンパクトにまとめることができる。また、各端子基部１２、２０２、３０２、４０２が幅方向に位置ずれして組み合わされるという事情があっても、各長孔１１、２０１、３０１、４０１が幅方向に延びた形状をとっているため、各長孔１１、２０１、３０１、４０１が連通してボルト９０を挿通可能なボルト通し孔２２を形成することが可能となる。
【００５３】
さらに、端子基部１２と第２の端子基部２０２とは、案内部１６、第２の案内部２０７等の案内手段によって相互のスライド動作が案内され、第３の端子基部３０２と第４の端子基部４０２とは、上部他側第４の係合溝４１１、下部他側第４の係合溝４１４等の案内手段によって相互のスライド動作が案内され、両案内手段がスライド方向と直交する方向に並び合う位置関係にあるから、両案内手段がスライド方向に並び配されるよりも、スライド方向に両案内手段の形成領域を長く確保することができ、案内機能の信頼性を高めることができる。
【００５４】
＜実施形態２＞
次に、本発明の実施形態２を図１４及び図１５によって説明する。実施形態２の組合せ端子は、互いに同形状とされた３枚の端子１０を組み合わせて構成される。もっとも、端子１０は、実施形態１の端子１０と基本的構成が同じであるため、図面上、実施形態１の端子１０と同一部位には同じ符号を付すこととする。
【００５５】
すなわち、端子１０は、幅方向に延びた長円形の長孔１１を有する板状の端子基部１２と、電線８０の端末部に接続されるオープンバレル状の電線接続部１３とからなる。
【００５６】
端子基部１２は平面視略矩形の一枚板状をなし、上下両辺が長辺、左右両辺が短辺とされている。長孔１１は端子基部１２の略中央に大きくかつ幅方向に長く開口して形成されている。端子基部１２には、長孔１１上方の幅方向一側に、係止部１４が切り起こしにより形成されているとともに、長孔１１上方の幅方向中央に、係止受け部１５が開口して形成されている。係止部１４、係止受け部１５は、幅方向の同一軸上に並んで位置していずれも平面視略方形をなし、相互に補完し合う形状をなしている。
【００５７】
また、端子基部１２には、レール状の案内部１６が上下両辺に沿って対をなして形成されている。案内部１６は、断面角Ｕの字形をなし、その内側に端子基部１２を厚み方向に挟みつつ端子基部１２と摺接可能とされている。端子基部１２の上下両辺のうち案内部１６を挟んだ幅方向他側は幅方向一側より一段落ちるよう切り欠かれた一対の係合縁１１１とされている。
【００５８】
電線接続部１３は、端子基部１２の板面に沿った底板１７を有し、端子基部１２の下辺における幅方向一側の端部から下向き（短辺方向）に突出して形成されている。底板１７の下部には、電線８０の端末部の被覆８１にかしめ付けられるインシュレーションバレル１８が形成され、底板１７の上部には、電線８０の端末部の被覆８１を除去して露出する芯線８２にかしめ付けられるワイヤバレル１９が形成されている。
【００５９】
各端子１０は、互いの端子基部１２を幅方向にずらしつつ厚み方向に重ねて組み合わされる。具体的には、他端側（図１５に示す向かって右端側）の端子基部１２に対して中央（図１５に示す向かって中央）の端子基部１２を幅方向にずらした状態から、両端子基部１２の互いの板面を摺接させつつ中央の端子１０を幅方向他側にスライドさせる。スライド過程では、他端側の端子１０の案内部１６に中央の端子基部１２の係合縁１１１が嵌合案内され、スライド動作が完了して正規の組み付け状態に至ると、他端側の端子１０の係止部１４が中央の端子１０の係止受け部１５に弾性的に嵌り込み、両端子１０が離脱規制状態に保持される。このとき、両端子基部１２の案内部１６の端縁同士がスライド方向で互いに突き当たる。また、正規の組み付け状態では、他端側の長孔１１の幅方向一端側と中央の長孔１１の幅方向略中央とが整合する。
【００６０】
次に、中央の端子基部１２に対して一端側（図１５に示す向かって左端側）の端子基部１２を幅方向にずらした状態から、両端子基部１２の互いの板面を摺接させつつ一端側の端子１０を幅方向他側にスライドさせる。スライド過程では、中央の端子１０の案内部１６に一端側の端子基部１２の係合縁１１１が嵌合案内され、スライド動作が完了して正規の組み付け状態に至ると、中央の端子１０の係止部１４が一端側の端子１０の係止受け部１５に弾性的に嵌り込み、両端子１０が離脱規制状態に保持される。このとき、両端子基部１２の案内部１６の端縁同士がスライド方向で互いに突き当たる。また、正規の組み付け状態では、一端側の長孔１１の幅方向他端側が中央の長孔１１の幅方向略中央、他端側の長孔１１の幅方向一端側と整合し、ボルト９０の軸部形状に対応した円形のボルト通し孔２２を形成するとともに、全ての電線接続部１３が同じ側（下方）を向いて幅方向に略平行に並んで配置される。こうして各端子１０を厚み方向に積み重ねた状態から、ボルト通し孔２２にボルト９０を厚み方向に貫通させ、さらにボルト９０の先端部を接地部材（ボディ）にねじ込んで締め付ける。実施形態２によれば、実施形態１と同様、各端子１０の組み合わせ状態において厚み方向及び周方向に嵩張ることがなく、全体がコンパクトにまとめられる。
【００６１】
＜他の実施形態＞
本発明は上記記述及び図面によって説明した実施形態に限定されるものではなく、例えば次のような実施形態も本発明の技術的範囲に含まれる。
（１）端子の組付個数は任意である。例えば、端子、第２の端子、第３の端子、第４の端子は、それぞれ２枚又は３枚以上用意され、これらが幅方向に位置ずれしつつ厚み方向に重ねられてもよい。この場合、長孔、第２の長孔、第３の長孔、第４の長孔は、幅方向のずれ量に応じて幅方向の寸法を長くとるようにする。
（２）電線接続部は幅方向と交差する方向に突出していればよく、必ずしも幅方向と直交する方向に突出していなくてもよい。
【図面の簡単な説明】
【００６２】
【図１】本発明の実施形態１の端子の平面図である。
【図２】端子を２枚重ねた平面図である。
【図３】図２のＡ−Ａ断面図である。
【図４】第２の端子の平面図である。
【図５】端子に第２の端子を重ねた平面図である。
【図６】さらに第２の端子を重ねた平面図である。
【図７】第２の端子に第３の端子を重ねた平面図である。
【図８】さらに第３の端子を重ねた平面図である。
【図９】第４の端子の平面図である。
【図１０】第３の端子に第４の端子を重ねた平面図である。
【図１１】さらに第４の端子を重ねた平面図である。
【図１２】図１１のＢ−Ｂ断面図である。
【図１３（Ａ）】比較例の組合せ端子の積み重ね状態を示す模式図である。
【図１３（Ｂ）】実施形態１の組合せ端子の積み重ね状態を示す模式図である。
【図１４】実施形態２の端子の平面図である。
【図１５】端子を３枚重ねた平面図である。
【符号の説明】
【００６３】
１０…端子
１１…長孔
１２…端子基部
１３…電線接続部
１６…案内部（案内手段）
９０…ボルト
２００…第２の端子
２０１…第２の長孔
２０２…第２の端子基部
２０４…第２の電線接続部
２０７…第２の案内部（案内手段）
３００…第３の端子
３０１…第３の長孔
３０２…第３の端子基部
３０３…第３の電線接続部
４００…第４の端子
４０１…第４の長孔
４０２…第４の端子基部
４０３…第４の電線接続部
４１１…上部他側第４の係合溝（案内手段）
４１４…下部他側第４の係合溝（案内手段）
【図１】
0004998355.tif 000002
【図２】
0004998355.tif 000003
【図３】
0004998355.tif 000004
【図４】
0004998355.tif 000005
【図５】
0004998355.tif 000006
【図６】
0004998355.tif 000007
【図７】
0004998355.tif 000008
【図８】
0004998355.tif 000009
【図９】
0004998355.tif 000010
【図１０】
0004998355.tif 000011
【図１１】
0004998355.tif 000012
【図１２】
0004998355.tif 000013
【図１３】
0004998355.tif 000014
【図１４】
0004998355.tif 000015
【図１５】
0004998355.tif 000016